(57)【要約】【課題】表示端末の電力の消耗により生じる電池残量に関するユーザの混乱を防ぐことができる表示端末及び表示端末プログラムを提供する。【解決手段】表示端末では、キー入力操作等のユーザによる操作又は外部からのアクセスが行われた際のイベントが発生した日時が計時装置より取得され、取得された日時がＥＥＰＲＯＭに設けられている最終イベント日時記憶エリアに記憶される。そして、表示端末への電力供給が断たれる処理が行われる前に、最終イベント日時記憶エリアから最終のイベントが発生した日時を取得し（Ｓ２１）、表示端末の電気泳動表示部に表示される（Ｓ２２）。そして、最終のイベントが発生した日時を表示したまま、表示端末への電力の供給が断たれる（Ｓ２３）。【選択図】図７
2009230204.tif 000002
【特許請求の範囲】
【請求項１】
電力の供給が断たれても情報の表示を保持する不揮発性表示手段と、前記不揮発性表示手段へ電力を供給する電池とを備えた表示端末において、
所定時期に前記電池の充電の目安となる情報である充電目安情報を前記不揮発性表示手段に表示させる表示制御手段と、
前記充電目安情報を前記不揮発性表示手段に表示させたまま、前記電池から前記不揮発性表示手段への電力の供給を停止する電力停止制御手段と
を備えたことを特徴とする表示端末。
【請求項２】
電力供給時の所定タイミングの時間情報を取得する時間情報取得手段を備え、
前記表示制御手段は、前記電池からの電力の供給が断たれる前に、前記時間情報取得手段により取得された前記時間情報を前記充電目安情報として前記不揮発性表示手段に表示させることを特徴とする請求項１に記載の表示端末。
【請求項３】
前記電池の電池残量を取得する電池残量取得手段と、
前記電池残量取得手段により取得された電池残量に基づいて次期充電時期の目安となる情報を目安時間情報として決定する目安時間情報決定手段とを備え、
前記表示制御手段は、前記電池からの電力の供給が断たれる前に、前記目安時間情報決定手段により決定された前記目安時間情報を前記充電目安情報として前記不揮発性表示手段に表示させることを特徴とする請求項１又は２に記載の表示端末。
【請求項４】
前記電力停止制御手段による電力の供給の停止から所定時間経過後に、前記不揮発性表示手段への電力の供給を再開し、前記不揮発性表示手段に表示される前記充電目安情報を更新し、更新した前記充電目安情報を前記不揮発性表示手段に表示させたまま前記電力の供給を再び停止する更新制御手段
を備えたことを特徴とする請求項１乃至３のいずれかに記載の表示端末。
【請求項５】
前記電池の電池残量を取得する電池残量取得手段と、
前記電池から前記不揮発性表示手段への電力供給が断たれる前に、充電を促す充電メッセージを表示させるまでの表示待機時間を、前記電池残量取得手段により取得された前記電池の電池残量に基づいて決定する表示待機時間決定手段とを備え、
前記表示制御手段は、表示待機時間経過後に、前記不揮発性表示手段に前記充電メッセージを充電目安情報として表示することを特徴とする請求項１又は２に記載の表示端末。
【請求項６】
前記所定タイミングは、前記不揮発性表示手段への電力の供給が断たれる際のタイミングであることを特徴とする請求項２に記載の表示端末。
【請求項７】
前記所定タイミングは、前記不揮発性表示手段に表示されている情報が書き換えられる際のタイミングであることを特徴とする請求項２に記載の表示端末。
【請求項８】
前記不揮発性表示手段に表示される前記充電目安情報は、情報を表示可能な領域の端部に表示されることを特徴とする請求項１乃至７のいずれかに記載の表示端末。
【請求項９】
請求項１乃至８のいずれかに記載の表示端末の各種処理手段としてコンピュータを機能させるための表示端末プログラム。
【発明の詳細な説明】
【技術分野】
【０００１】
本発明は、表示端末及び表示端末プログラムに関するものであり、詳細には、表示端末の電力の消耗により生じる電池残量に関するユーザの混乱を防ぐことができる表示端末及び表示端末プログラムに関するものである。
【背景技術】
【０００２】
従来、内部に蓄電可能なシステム電源を備え、電気泳動による不揮発性表示手段を用いた閲覧端末が知られている（例えば、特許文献１参照。）。特許文献１に記載の発明の閲覧端末は、不揮発性表示手段を用いているため、システム電源が断たれた状態であっても、最後に表示手段に表示された内容が保持されていた。また、一般的な閲覧端末では、表示画面上に電池残量を表示しているものがある。
【特許文献１】特開２００７−１８７９２７号公報
【発明の開示】
【発明が解決しようとする課題】
【０００３】
しかしながら、特許文献１に記載の発明の閲覧端末では、システム電源を切った状態であっても、蓄電された電力は放電される。そこで、システム電源が切られたまま時間が経過すると、蓄電された電力が放電しきってしまうことがある。このような場合、表示手段に最後に表示した内容が表示されていることから、ユーザは電力がなくなっていると思わないことがある。この結果、ユーザは閲覧端末を使用できると思っていても、当該閲覧端末を使用したら電力不足となってしまうという問題があった。また、特許文献１に記載の発明の閲覧端末のように不揮発性表示手段を備えた表示端末において、当該不揮発性表示手段に電池残量が表示されている場合、システム電源が切られたまま、時間が経過して放電されてしまうと、表示手段に表示されている電池残量と実際の電池残量とが相違する。そこで、ユーザは表示を見て電力があると思うが、実際には電力がなかったり、電力が少なかったりして、使用できなかったり、使用したら電力不足となってしまうという問題があった。
【０００４】
そこで、本発明は、上述した問題を解決するためになされたものであり、表示端末の電力の消耗により生じる電池残量に関するユーザの混乱を防ぐことができる表示端末及び表示端末プログラムを提供することを目的とする。
【課題を解決するための手段】
【０００５】
上記目的を達成するために、請求項１に係る発明の表示端末は、電力の供給が断たれても情報の表示を保持する不揮発性表示手段と、前記不揮発性表示手段へ電力を供給する電池とを備えた表示端末において、所定時期に前記電池の充電の目安となる情報である充電目安情報を前記不揮発性表示手段に表示させる表示制御手段と、前記充電目安情報を前記不揮発性表示手段に表示させたまま、前記電池から前記不揮発性表示手段への電力の供給を停止する電力停止制御手段とを備えることを特徴とする。
【０００６】
また、請求項２に係る表示端末は、請求項１に記載の発明の構成に加え、電力供給時の所定タイミングの時間情報を取得する時間情報取得手段を備え、前記表示制御手段は、前記電池からの電力の供給が断たれる前に、前記時間情報取得手段により取得された前記時間情報を前記充電目安情報として前記不揮発性表示手段に表示させることを特徴とする。
【０００７】
また、請求項３に係る表示端末は、請求項１又は２に記載の発明の構成に加え、前記電池の電池残量を取得する電池残量取得手段と、前記電池残量取得手段により取得された電池残量に基づいて次期充電時期の目安となる情報を目安時間情報として決定する目安時間情報決定手段とを備え、前記表示制御手段は、前記電池からの電力の供給が断たれる前に、前記目安時間情報決定手段により決定された前記目安時間情報を前記充電目安情報として前記不揮発性表示手段に表示させることを特徴とする。
【０００８】
また、請求項４に係る表示端末は、請求項１乃至３のいずれかに記載の発明の構成に加え、前記電力停止制御手段による電力の供給の停止から所定時間経過後に、前記不揮発性表示手段への電力の供給を再開し、前記不揮発性表示手段に表示される前記充電目安情報を更新し、更新した前記充電目安情報を前記不揮発性表示手段に表示させたまま前記電力の供給を再び停止する更新制御手段を備えたことを特徴とする。
【０００９】
また、請求項５に係る表示端末は、請求項１又は２に記載の発明の構成に加え、前記電池の電池残量を取得する電池残量取得手段と、前記電池から前記不揮発性表示手段への電力供給が断たれる前に、充電を促す充電メッセージを表示させるまでの表示待機時間を、前記電池残量取得手段により取得された前記電池の電池残量に基づいて決定する表示待機時間決定手段とを備え、前記表示制御手段は、表示待機時間経過後に、前記不揮発性表示手段に前記充電メッセージを充電目安情報として表示することを特徴とする。
【００１０】
また、請求項６に係る表示端末は、請求項２に記載の発明の構成に加え、前記所定タイミングは、前記不揮発性表示手段への電力の供給が断たれる際のタイミングであることを特徴とする。
【００１１】
また、請求項７に係る表示端末は、請求項２に記載の発明の構成に加え、前記所定タイミングは、前記不揮発性表示手段に表示されている情報が書き換えられる際のタイミングであることを特徴とする。
【００１２】
また、請求項８に係る表示端末は、請求項１乃至７のいずれかに記載の発明の構成に加え、前記不揮発性表示手段に表示される前記充電目安情報は、情報を表示可能な領域の端部に表示されることを特徴とする。
【００１３】
また、請求項９に係る表示端末プログラムは、請求項１乃至８のいずれかに記載の表示端末の各種処理手段としてコンピュータを機能させる。
【発明の効果】
【００１４】
請求項１に係る表示端末では、表示制御手段により所定時期に電池の充電の目安となる充電目安情報を不揮発性表示手段に表示できる。そして、電力停止制御手段により、充電目安情報を表示させたまま、不揮発性表示手段への電力供給を停止することができる。不揮発性表示手段への電力供給が断たれても表示されている充電目安情報は保持されているため、ユーザは電池の充電の目安となる情報を確認することができる。そして、表示端末の充電の必要があると判断すれば、充電することができる。したがって、表示端末を使用する際、電力が少なかったりして、使用できなかったり、使用したら電力不足となってしまうという問題を防止することができる。
【００１５】
また、請求項２に係る表示端末では、請求項１に記載の発明の効果に加え、電池からの電力の供給が断たれる前に、時間情報取得手段により取得された時間情報を電池の充電の目安となる充電目安情報として表示制御手段により不揮発性表示手段に表示できる。その結果、電池からの電力供給が断たれている状態の表示端末をユーザが使用しようとする際に、電力供給が断たれた際の時間情報を知ることができる。よって、ユーザは、時間情報から電池の電池残量が少なくなっていたり、なくなっていたりする可能性があるかを判断できる。そして、ユーザは表示端末の充電の必要があると判断すれば、充電することができる。したがって、表示端末を使用する際、電力が少なかったりして、使用できなかったり、使用したら電力不足となってしまうという問題を防止することができる。
【００１６】
また、請求項３に係る発明の表示端末では、請求項１又は２に記載の発明の効果に加え、電池からの電力の供給が断たれる前に、目安時間情報決定手段により現在の電池残量に基づいて次期充電次期の目安となる目安時間情報が決定される。そして、表示制御手段により、電池からの電力の供給が断たれる前に、目安時間情報を充電目安情報として不揮発性表示手段に表示できる。その結果、ユーザは、表示端末を使用する前に、充電の時期を予測しなくても、目安時間情報によって充電の時期を把握できる。よって、充電すべきか否かを判断することができる。そして、ユーザは表示端末の充電の必要があると判断すれば、充電することができる。したがって、表示端末を使用する際、電力が少なかったりして、使用できなかったり、使用したら電力不足となってしまうという問題を防止することができる。
【００１７】
また、請求項４に係る発明の表示端末では、請求項１乃至３のいずれかに記載の発明の効果に加え、電池からの電力の供給が断たれ、所定時間が経過した後に不揮発性表示手段への電力の供給が再開される。そして、不揮発性表示手段に表示されている電池の充電の目安となる充電目安情報が更新され、再び、電力の供給が停止される。その結果、電池からの電力供給が断たれている状態の表示端末をユーザが使用する際に、更新された充電目安情報を知ることができる。よって、ユーザは、時間情報から電池の電池残量が少なくなっていたり、なくなっていたりする可能性があることを判断できる。そして、ユーザは表示端末の充電の必要があると判断すれば、充電することができる。したがって、表示端末を使用する際、電力が少なかったりして、使用できなかったり、使用したら電力不足となってしまうという問題を防止することができる。
【００１８】
また、請求項５に係る発明の表示端末では、請求項１又は２に記載の発明の効果に加え、電池から不揮発性表示手段への電力供給が断たれる前に、電池残量取得手段により電池残量が取得され、取得された電池残量に基づいて表示待機時間決定手段により表示待機時間が決定される。そして、時間の計測が開始され、表示待機時間経過後に、不揮発性表示手段に充電メッセージが表示される。よって、ユーザは充電する日時を考慮する必要なく充電の必要性があると判断できる。これにより、ユーザは表示端末を充電してから使用することができるので、表示端末を使用する際、電力が少なかったりして、使用できなかったり、使用したら電力不足となってしまうという問題を防止することができる。
【００１９】
また、請求項６に係る発明の表示端末では、請求項２に記載の発明の効果に加え、所定のタイミングは、電池からの電力の供給が断たれる際のタイミングである。これにより、ユーザは、電力供給が断たれた際の時間情報を知ることができる。よって、ユーザは、時間情報から電池の電池残量が少なくなっていたり、なくなっていたりする可能性があるかを判断できる。そして、ユーザは表示端末の充電の必要があると判断すれば、充電することができる。したがって、表示端末を使用する際、電力が少なかったりして、使用できなかったり、使用したら電力不足となってしまうという問題を防止することができる。
【００２０】
また、請求項７に係る発明の表示端末では、請求項２に記載の発明の効果に加え、所定のタイミングは、不揮発性表示手段に表示されている情報が書き換えられる際のタイミングである。これにより、ユーザは、情報が書き換えられた際のタイミングを知ることができる。よって、ユーザは、時間情報から電池の電池残量が少なくなっていたり、なくなっていたりする可能性があるかを判断できる。そして、ユーザは表示端末の充電の必要があると判断すれば、充電することができる。したがって、表示端末を使用する際、電力が少なかったりして、使用できなかったり、使用したら電力不足となってしまうという問題を防止することができる。
【００２１】
また、請求項８に係る発明の表示端末では、請求項１乃至７のいずれかに記載の発明の効果に加え、充電目安情報が不揮発性表示手段に表示される領域は、情報を表示可能な領域の端部に表示される。その結果、不揮発性表示手段に表示されている情報は、充電目安情報に隠されることが少なくなる。
【００２２】
また、請求項９に係る発明の表示端末プログラムは、コンピュータに実行させることにより、請求項１乃至８のいずれかに記載の発明の効果と同様の効果を奏すことができる。
【発明を実施するための最良の形態】
【００２３】
以下、本発明の一実施の形態である表示端末１について、図１〜図８を参照して説明する。本実施の形態の表示端末１においては、電源が切断されても表示内容が保持される電気泳動方式の表示部が用いられている。図１は、表示端末１の外観図である。図２は、表示端末１の電気的構成を示すブロック図である。図３は、電気泳動表示部４の正面図である。図４は、電気泳動表示部４のＩ−Ｉ線（図３）における矢視方向断面図である。図５は、電気泳動表示部４のＩＩ−ＩＩ線（図３）における矢視方向断面図である。図６は、メイン動作の中でのイベント待機処理のフローチャートである。図７は、メイン動作の中での電力の供給が断たれた際のフローチャートである。図８は、最終のイベントが発生した日時が表示された表示端末１の外観図である。
【００２４】
まず、図１を参照して、表示端末１の外観について説明する。図１に示すように、表示端末１は、略直方体の形状をしており、その正面には正面視、長方形形状の電気泳動表示部４が設けられており、その下部には、上キー８１、下キー８２、左キー８３、右キー８４から成る操作キー８が設けられている。そして、右側面にはメモリカード１７を挿入する挿入口８０が設けられている。
【００２５】
次に、図２のブロック図を参照して、表示端末１の電気的構成について説明する。図２に示すように、表示端末１には、表示端末１の制御を司るＣＰＵ１０が設けられている。そして、このＣＰＵ１０には、ＲＯＭ１１、ＲＡＭ１２、ＥＥＰＲＯＭ１３、入力部１４、電気泳動表示部４、計時装置１５、及びメモリカードＩ／Ｆ１６がバス２０を介して接続されている。ＲＯＭ１１は、表示端末１を動作させるためのプログラム等を記憶しており、ＲＡＭ１２は各種のデータを一時的に記憶し、ＥＥＰＲＯＭ１３は不揮発性のメモリである。また、入力部１４はユーザによる入力を受け付けるボタンや十字キーからなり、電気泳動表示部４はコンテンツを表示する。また、計時装置１５では時間が計時される。また、メモリカードＩ／Ｆ１６により、表示端末１にメモリカード１７が接続される。そして、メモリカード１７には、文字や画像、映像、又はこれらを組み合わせた情報であるコンテンツ情報が記憶される。
【００２６】
ここで、電気泳動表示部４の物理的構成の概略について、図面を参照して説明する。図３〜図５に示すように電気泳動表示部４は、その下面部分に設けられる下部基板５０と、その上面部分に設けられる上部基板６０とが対向配置され、下部基板５０と上部基板６０との間に表示部７０を備える。尚、Ｉ−Ｉ線は、表示端末１の横方向（図１の左右方向）に平行な線を示し、ＩＩ−ＩＩ線は、縦方向（図１の上下方向）に平行な線を示す。尚、図３〜図５では、説明しやすいように、画素数を５×４の２０個としているが、実際には、必要に応じた画素数を設けることができる。
【００２７】
図４、図５に示すように、下部基板５０は、表示部７０に電界を発生させる下部電極５２と、下部電極５２の上面側に絶縁材料を塗布等して形成した絶縁膜である下部電極保護膜５１と、下部電極５２の下面側に設けられて表示端末１を支持する筐体支持部５３とを備える。下部電極保護膜５１は、ポリエチレンテレフタレートやシリカ等の樹脂フィルムやガラスなどの無機材料等の高い絶縁性を発揮可能な材料により形成される。尚、本実施の形態では、下部電極保護膜５１及び筐体支持部５３は、可撓性のあるポリエチレンテレフタレートにより構成されたプラスチック基板（樹脂フィルム）である。また、下部電極５２は、一定の電圧が印加されるように線状の電気導電体が横方向（Ｉ−Ｉ線方向）に平行に配設された、複数の電極を具備する基板である。
【００２８】
下部基板５０の上方向（図３上方向）には、下部基板５０に対向して、かつ平行に所定間隔を空けて上部基板６０が設けられる。上部基板６０は、表示部７０に電界を発生させる上部電極６２と、上部電極６２の下面側に絶縁材料を塗布等して形成した絶縁膜である上部電極保護膜６１と、上部電極６２の上面側に設けられて透明な部材により構成されて表示画面として機能する表示層６３とを備える。上部電極保護膜６１はポリイミド，ポリエチレンテレフタレート，ガラスなどの高い透明性を発揮可能な材料により形成される。また、上部電極６２は、一定の電圧が印加されるように線状の電気導電体が縦方向（ＩＩ−ＩＩ線方向）に平行に配設された、複数の電極を具備する基板であり、かつ高い透明性を発揮可能な材料により構成される。本実施の形態では、上部電極保護膜６１はポリエチレンテレフタレートにより構成されたプラスチック基板（樹脂フィルム）である。また、上部電極６２は酸化インジウムすず（ＩＴＯ）により形成された透明電極であり、表示層６３はガラス基板である。つまり、上部基板６０は透明体であるから、利用者が上部基板６０の上方向（図４上方向）から表示部７０を視認可能な表示基板として機能する。
【００２９】
次に、表示部７０について説明する。対向して設けられる下部基板５０及び上部基板６０と、スペーサー７１とで形成される間隙が、表示部７０である。スペーサー７１は、下部基板５０及び上部基板６０との間隙に架設され、その間隙を格子状に均等に分割して複数の小区画セルを形成するとともに、下部基板５０及び上部基板６０を支持する。スペーサー７１は、格子状に複数の貫通孔が形成された板状部材として構成された可撓性部材であり、例えばポリイミドやポリエチレンテレフタレートなどの合成樹脂で構成されればよい。
【００３０】
また、図４に示すように、表示部７０の内部には、帯電粒子３３ａ，３３ｂ及び分散媒３４が充填される。帯電粒子３３ａ，３３ｂは、分散媒３４中において帯電可能な材料が用いられ、有機化合物や無機化合物からなる顔料や染料、もしくは顔料や染料を合成樹脂で包んだものからなる。本実施の形態では、帯電粒子３３ａはスチレン樹脂と二酸化チタンの混合物で、平均粒子径が５μｍのもの（７ｗｔ％）であって、粒子中の二酸化チタンの量が４０ｗｔ％のものを使用する。また、帯電粒子３３ｂはスチレン樹脂とカーボンブラックの混合物で、平均粒子径が５μｍのもの（１０ｗｔ％）であって、粒子中のカーボンブラックの量が３０ｗｔ％のものを使用する。そのため、帯電粒子３３ａは白色の色調であり、帯電粒子３３ｂは黒色の色調である。また、帯電粒子３３ａと帯電粒子３３ｂとは正あるいは負に相異なるように帯電しており、ここでは帯電粒子３３ａが負に、帯電粒子３３ｂが正に帯電しているものとする。
【００３１】
一方、分散媒３４としては、高絶縁性を発揮可能で、かつ粘性の低い、アルコール類，炭化水素，シリコーンオイルなどを利用できる。本実施の形態では、パラフィン系溶剤であるエクソンモービル社製Ｉｓｏｐａｒ（７３ｗｔ％）を使用する。尚、分散媒３４には添加剤としてエタノール（１０ｗｔ％）が加えられている。
【００３２】
また、上部基板６０の上面（下部基板５０と対向しない面）には、正面視、小区画セルが存在しない表示部７０の周縁部を、利用者が視認できないように隠蔽するためのマスク部４０が設けられる。マスク部４０は、上部基板６０の四辺に沿って一定幅で設けられ、表示部７０を利用者が視認できるように貫通孔が設けられたロの字型形状の板状部材であり、ポリエチレンテレフタレートなどの合成樹脂を着色したものを接着したり、表示層６３の表面に印刷したインク層で形成したりすればよい。そして、電気泳動表示部４をその上方から見ると、マスク部４０に設けられた貫通孔から、表示部７０を視認することができる構成となっている。
【００３３】
次に、図２を参照して、ＥＥＰＲＯＭ１３に設けられている記憶エリアについて説明する。ＥＥＰＲＯＭ１３には、最終イベント日時記憶エリア１００１が設けられている。この最終イベント日時記憶エリア１００１には、キー入力操作等のユーザによる操作又は外部からのアクセス（以下、「イベント」という。）が発生した際の日時が計時装置１５より取得され、記憶される。また、最終イベント日時記憶エリア１００１に記憶されている日時は変更が可能であり、最終のイベントが発生した日時のみが記憶される。
【００３４】
次に、図６を参照して、表示端末１のイベント待機処理の動作について説明する。この動作は、表示端末１に電源が接続され、電力の供給が行われると開始される。まず、表示端末１に電源からの電力が供給され、イベントが発生した際の動作について説明する。表示端末１に電源から電力が供給されると、イベントが発生したか否かが判断される（Ｓ１１）。即ち、キー入力操作等のユーザによる操作又は外部からのアクセスがあったか否かが判断される。イベントが発生すると（Ｓ１１：Ｙｅｓ）、そのイベントが発生した日時が計時装置１５（図２参照）より取得され、ＥＥＰＲＯＭ１３（図２参照）の最終イベント日時記憶エリア１００１（図２参照）にイベントが発生した日時が記憶される（Ｓ１４）。そして、発生したイベントの処理が、表示端末１への電力の供給を断つ処理である電源オフの処理か否かが判断される（Ｓ１５）。なお、表示端末１への電力の供給がたたれると、電気泳動表示部４への電力の供給も断たれる。
【００３５】
ここで、表示端末１への電力の供給を断つ処理でない場合（Ｓ１５：Ｎｏ）、タイマのカウンタ値が「０」に初期化され、時間の計測を開始するタイマ開始処理が行われる（Ｓ１６）。このタイマ開始処理は、イベントが発生していない時間を計測するためのタイマカウンタである待機時間カウンタを用いて行われている。この待機時間カウンタはＣＰＵ１０に接続した計時装置１５からの信号に基づいてカウントアップされる。次に、発生したイベントに基づいた処理が行われ（Ｓ１７）、Ｓ１１に戻る。そして、電源を断つ処理以外のイベントが発生すると、Ｓ１１：Ｙｅｓ，Ｓ１４，Ｓ１５：Ｎｏ，Ｓ１６，Ｓ１７の操作が繰り返し行われる。以上のように、表示端末１への電力の供給を断つ処理以外のイベントが発生すると、イベントが発生した日時が取得され、ＥＥＰＲＯＭ１３の最終イベント日時記憶エリア１００１に記憶される。そして、タイマのカウンタ値が「０」に初期化され、イベントが発生していない時間の計測を開始するタイマ開始処理が行われる。次に、発生したイベントに基づいた処理が行われる。したがって、イベントが発生する度に、最終イベント日時記憶エリア１００１（図２参照）にイベントが発生した日時が記憶される。
【００３６】
次に、発生したイベントがキー入力操作による表示端末１への電力の供給を断つ処理である場合について説明する。ユーザからのキー入力操作が行われ、イベントが発生すると（Ｓ１１：Ｙｅｓ）、キー入力操作が発生した日時が記憶される（Ｓ１４）。そして、キー入力操作が電源を断つ処理か否かの判断が行われる（Ｓ１５）。キー入力操作は、表示端末１への電力の供給を断つ電源オフの処理であるため（Ｓ１５：Ｙｅｓ）、電源オフの処理が行われる（Ｓ１３）。以上のように、キー入力操作で表示端末１への電力の供給を断つ操作が行われる際は、電力の供給が断たれた日時が取得され、ＥＥＰＲＯＭ１３の最終イベント日時記憶エリア１００１に記憶される。そして電源オフの処理がおこなわれる。この電源オフの処理（Ｓ１３）については後述する。
【００３７】
次に、イベントが所定時間内に発生せず、表示端末１への電力の供給が断たれる場合の動作について説明する。ここで、所定時間は、ユーザが操作をしている最中でない判断ができる程度の時間であればよく、あらかじめ定められている。本実施の形態では５秒間とする。イベントが発生しなければ（Ｓ１１：Ｎｏ）、待機時間カウンタの値が所定時間以上になったか否かの判断が行われる。イベントが発生しておらず、待機時間カウンタが所定時間以上でなければ（Ｓ１２：Ｎｏ）、イベントが所定時間以上なかったと判断されず、Ｓ１１へ戻り、イベントが行われたか否かの判断が行われる。このようにして、繰り返しＳ１１：Ｎｏ，Ｓ１２：Ｎｏの処理が行われる。そして、イベントが発生しない時間が所定時間以上となったら（Ｓ１２：Ｙｅｓ）、表示端末１への電力の供給を断つ処理である電源オフの処理（Ｓ１３）が行われる。この電源オフの処理（Ｓ１３）については後述する。
【００３８】
次に、図６〜図８を参照して、電源オフの処理の動作について説明する。この動作は、表示端末１の電源が断たれる際に開始される処理である。電源オフの処理（図６：Ｓ１３）が行われると、ＥＥＰＲＯＭ１３の最終イベント日時記憶エリア１００１に記憶されている日時が取得され（図７：Ｓ２１）、表示端末１の電気泳動表示部４に表示される（Ｓ２２）。そして、表示端末１への電力の供給が断たれる（Ｓ２３）。なお、図８に示すように、表示端末１に表示される最終のイベントが発生した日時は、電気泳動表示部４の略中央部に表示される。
【００３９】
以上のように、上記した実施の形態の表示端末１では、イベントが発生した日時が計時装置１５より取得され、取得された日時がＥＥＰＲＯＭ１３に設けられている最終イベント日時記憶エリア１００１に記憶される。そして、表示端末１への電力供給が断たれる処理が行われる前に、最終イベント日時記憶エリア１００１から最終のイベントが発生した日時を取得し、電気泳動表示部４に表示される。その結果、ユーザが表示端末１を使用しようとした際に、最終のイベントが発生した日時を確認できる。これにより、ユーザは充電すべきか否かを判断することができる。そして、ユーザは表示端末１の充電の必要があると判断すれば、充電することができる。したがって、表示端末１を使用する際、電力が少なかったりして、使用できなかったり、使用したら電力不足となってしまうという問題を防止することができる。
【００４０】
なお、上記実施の形態における電気泳動表示部４が「不揮発性表示手段」に該当し、ＥＥＰＲＯＭ１３の最終イベント日時記憶エリア１００１に記憶されている最終のイベントの発生した日時が「時間情報」に該当し、表示端末１に電力供給をするための電源が「電池」に該当し、電気泳動表示部４に最終のイベントの発生した日時を表示する処理（Ｓ２２）を行うＣＰＵ１０が「表示制御手段」に該当し、電気泳動表示部４に最終のイベントが発生した日時を表示させたまま電源オフの処理（Ｓ２３）を行うＣＰＵ１０が「電力停止制御手段」に該当する。
【００４１】
なお、本発明の表示端末１は、上記した実施の形態に限定されるものではなく、本発明の要旨を脱しない範囲内において種々変更を加え得ることは勿論である。上記の実施の形態では、日時を計測している計時装置１５は、表示端末１の内部に設けられているが、表示端末１の外部に設けられ、必要に応じて日時を取得するようにしても問題はない。
【００４２】
また、上記の実施の形態では、最終に発生したイベントの日時を電気泳動表示部４に表示しているが、表示する内容はこれに限定しない。例えば、次回の充電をする目安となる日時（以下、「次回充電日時」という。）を電気泳動表示部４に表示するようにしても問題はない。図９〜図１０を参照して、一例として、表示端末１への電力の供給を断つ際に、次回充電日時を表示する動作について説明する。図９は、充電日時テーブルの模式図である。図１０は、メイン動作の中での電力の供給が断たれた際の変形例１のフローチャートである。
【００４３】
まず、変形例１の電気的構成を説明する。変形例１の電気的構成は、上記の実施の形態と同一のものであるが、ＲＯＭ１１には、充電日時テーブル記憶エリア（図示外）が設けられている。この充電日時テーブル記憶エリア（図示外）には、次回充電日時が設定された充電日時テーブル１１０１（図９参照）が記憶されている。
【００４４】
次に、図９を参照して、ＲＯＭ１１の充電日時テーブル記憶エリア（図示外）に記憶されている充電日時テーブル１１０１の構成について説明する。図９に示すように、充電日時テーブル１１０１は、表示端末１の電池残量の記憶領域１１０２と電池残量に基づいた次回充電日時の記憶領域１１０３とから構成されている。電池残量は、表示端末１に最大の充電が行われている状態を１００％とし、０％から１００％までの１０％毎の値である。そして、各電池残量に対応した次回充電日時が記憶されている。
【００４５】
次に、図６、図１０を参照して、変形例１における電源オフの処理が行われた際の動作について説明する。この動作は、表示端末１への電力の供給が断たれる際に開始される処理である。電源オフの処理（図６：Ｓ１３）が行われると、最終イベント発生日時が取得される（図１０：Ｓ３１）。この最終イベント発生日時は、最後に発生したイベントが受け付けられた日時であり、ＥＥＰＲＯＭ１１３の最終イベント日時記憶エリア１００１に記憶されている。そして、表示端末１に電力を供給している電池の電池残量が取得される（Ｓ３２）。この取得された電池残量は、表示端末１に最大の充電が行われた場合を１００％とし、１の位が切り捨てられた１０％毎の値である。そして、ＲＯＭ１１１の充電日時テーブル記憶エリア（図示外）に記憶されている充電日時テーブル１１０１から、取得された電池残量に基づいて次回充電日時が取得される（Ｓ３３）。次に、取得された次回充電日時及び最終イベント発生日時が、表示端末１の電気泳動表示部４に表示される（Ｓ３４）。そして、表示端末１への電力の供給が断たれる（Ｓ３５）。
【００４６】
なお、上記変形例１の次回充電日時が「目安時間情報」に該当し、電池の電池残量を取得する処理（Ｓ３２）を行うＣＰＵ１０が「電地残量取得手段」に該当し、電池残量に基づいて次回の充電をする目安となる日時である次回充電日時を取得する処理（Ｓ３３）を行うＣＰＵ１０が「目安時間情報決定手段」に該当し、電気泳動表示部４に最終イベント発生日時及び次回充電日時を表示する処理（Ｓ３４）を行うＣＰＵ１０が「表示制御手段」に該当し、電気泳動表示部４に最終イベント発生日時及び次回充電日時を表示させたまま、電源オフの処理（Ｓ３５）を行うＣＰＵ１０が「電力停止制御手段」に該当する。
【００４７】
以上のように、表示端末１への電力の供給が断たれる際、現在の電池残量に基づいてＲＯＭ１１に記憶されている充電日時テーブル記憶エリア（図示外）から次回の充電をする目安となる次回充電日時が取得され、電気泳動表示部４に表示される。その結果、ユーザは、表示端末１を使用する前に、充電の時期を予測しなくても、次回充電日時によって充電の時期を把握できる。よって、充電すべきか否かを判断することができる。そして、ユーザは表示端末１の充電の必要があると判断すれば、充電することができる。したがって、表示端末１を使用する際、電力が少なかったりして、使用できなかったり、使用したら電力不足となってしまうという問題を防止することができる。
【００４８】
また、上記の実施の形態では、表示端末１への電力の供給が断たれる際に、最終に発生したイベントの日時を最終入力日時として電気泳動表示部４に表示しているが、電気泳動表示部４に表示する時期はこれに限定しない。例えば、電源からの電力の供給が断たれた状態であるスタンバイ状態で一定時間（一例として、２４時間）ごとに表示端末１を起動し、電気泳動表示部４に次回の充電をする目安となる次回充電日時を表示するようにしても問題はない。図１１を参照して、一例としてスタンバイ状態時、一定時間毎に次回充電日時を表示する動作について説明する。図１１は、スタンバイ状態時の変形例２のフローチャートである。
【００４９】
次に、図１１を参照して変形例２におけるスタンバイ状態時の動作について説明する。この動作は、次回充電日時が表示され、表示端末１の電力の供給が断たれた後に開始される処理である。ここで、表示端末１の電力の供給が断たれる際に、次回充電日時が表示されると、タイマ開始処理が行われる。このタイマ開始処理は、次回充電日時を表示するまでの一定時間を計測するためのタイマカウンタである一定時間カウンタを用いて行われている。この一定時間カウンタはＣＰＵ１０に接続した計時装置１５からの信号に基づいてカウントアップされる。電力の供給が断たれる際、次回充電日時が表示され、一定時間カウンタの値が「０」にリセットされてカウントアップがはじまる。
【００５０】
そして、スタンバイ状態において一定時間が経過したか否かの判断が行われる（Ｓ４１）。表示端末１への電力の供給が断たれた直後は、一定時間は経過していないため（Ｓ４１：Ｎｏ）、Ｓ４１に戻る。そして、一定時間が経過するまでこの処理を繰り返す。
【００５１】
ここで、一定時間カウンタのタイマカウンタが一定時間以上となると（Ｓ４１：Ｙｅｓ）、表示端末１への電力の供給が行われ（Ｓ４２）、最終イベント発生日時が取得される（Ｓ４３）。この最終イベント発生日時は、最後に発生したイベントが受け付けられた日時であり、ＥＥＰＲＯＭ１１３の最終イベント日時記憶エリア１００１に記憶されている。そして、表示端末１に電力を供給している電池の電池残量が取得される（Ｓ４４）。この取得された電池残量は、表示端末１に最大の充電が行われた場合を１００％とし、１の位が切り捨てられた１０％毎の値である。そして、ＲＯＭ１１１の充電日時テーブル記憶エリア（図示外）に記憶されている充電日時テーブル１１０１から、取得された電池残量に基づいて次回充電日時が取得される（Ｓ４５）。次に、取得された最終入力日時と次回充電日時が、表示端末１の電気泳動表示部４に表示される（Ｓ４６）。そして、一定時間カウンタの値を「０」にリセットし、一定時間カウンタのカウントアップがはじまる（Ｓ４７）。その後、表示端末１の電力の供給が断たれ（Ｓ４８）、Ｓ４１に戻る。これにより、一定時間毎にＳ４１：Ｙｅｓ，Ｓ４２〜Ｓ４８の処理が繰り返され、その時の電池残量に基づいた次回充電日時が電気泳動表示部４に表示される。
【００５２】
なお、上記変形例２の一定時間が「所定時間」に該当する。また、一定時間後に表示端末１への電力の供給を行い（Ｓ４２）、不揮発性表示手段に最終入力日時と次回充電日時を表示し（Ｓ４６）、表示端末１への電力の供給を停止する（Ｓ４８）一連の処理をするＣＰＵ１０が「更新制御手段」に該当する。
【００５３】
以上のように、表示端末１への電力の供給が断たれる際、電池残量に基づいて次回の充電をする目安となる次回充電日時が取得される。そして、次回充電日時が電気泳動表示部４に表示されると、一定時間カウンタのアップカウントが開始され、表示端末１はスタンバイ状態になる。スタンバイ状態中に一定時間カウンタが一定時間以上になると、表示端末１への電力の供給が再開される。そして、ＥＥＰＲＯＭ１１３の最終イベント日時記憶エリア１００１に記憶されている最終のイベントが発生した日時である最終イベント発生日時が取得される。また、電池残量に基づいてＲＯＭ１１１の充電日時テーブル記憶エリア（図示外）に記憶されている充電日時テーブル１１０１より次回充電日時が取得され、電気泳動表示部４に最終イベント発生日時と次回充電日時が表示される。次回充電日時が電気泳動表示部４に表示されると、タイマカウンタの値を「０」にリセットして一定時間カウンタのアップカウントが再度、開始される。そして、表示端末１への電力の供給が断たれ、スタンバイ状態になる。
【００５４】
これにより、一定時間毎に表示端末１の電気泳動表示部４に次回充電日時が表示される。その結果、ユーザが表示端末を使用しようとした際に、電力供給が断たれた時点の次回充電日時よりも、実際の日時に近い次回充電日時が表示される。したがって、ユーザはより現実に近い次回充電日時を知ることができ、それに基づいて表示端末１を使用する前に充電すべきか否かを判断することができる。そして、ユーザは表示端末１の充電の必要があると判断すれば、充電することができる。したがって、表示端末１を使用する際、電力が少なかったりして、使用できなかったり、使用したら電力不足となってしまうという問題を防止することができる。
【００５５】
また、上記の実施の形態では、表示端末１への電力の供給が断たれる際に、最終に発生したイベントの日時を最終入力日時として電気泳動表示部４に表示しているが、電気泳動表示部４に表示する時期及び内容はこれに限定しない。例えば、電力の供給が断たれたスタンバイ状態で予定時間後に表示端末１を起動し、電気泳動表示部４に充電を促す旨のメッセージ（以下、「充電メッセージ」という。）を表示するようにしても問題はない。図１２、図１３を参照して、一例として、電力の供給が断たれ、予定時間後に充電メッセージを電気泳動表示部４に表示する動作について説明する。図１２は、メイン動作の中での電力の供給が断たれた際の変形例３のフローチャートである。図１３は、充電メッセージが表示された表示端末１の外観図である。
【００５６】
次に、図１２を参照して、変形例３における表示端末１への電力の供給が断たれ、予定時間後に充電メッセージを表示する動作について説明する。この動作は、表示端末１の電力の供給が断たれる際に開始される処理である。また、充電メッセージは、ユーザに対して充電を促すようなメッセージであればよく、あらかじめ定められている。ここで、表示端末１への電力の供給が断たれると、表示端末１へ電力を供給している電池の電池残量が取得される（Ｓ５１）。この取得された電池残量は、表示端末１に最大の充電が行われた場合を１００％とし、１の位が切り捨てられた１０％毎の値である。そして、ＲＯＭ１１１の予定時間テーブル記憶エリア（図示外）に記憶されている予定時間テーブル（図示外）から、取得された電池残量に基づいて充電メッセージを表示するまでの予定時間が取得される（Ｓ５２）。ここで、予定時間テーブルは、表示端末１の電池残量と電池残量に基づいた予定時間とから構成されている。電池残量は、表示端末１に最大の充電が行われている状態を１００％とし、０％から１００％までの１０％毎の値である。予定時間は、各電池残量に対応して決められており、充電メッセージを表示するまでの目安となる時間である。
【００５７】
次に、タイマカウントが「０」に初期化され、タイマ開始処理が行われる（Ｓ５３）。タイマ開始処理は、充電メッセージを表示するまでの予定時間を計測するためのタイマカウンタである予定時間カウンタを用いて行われている。この予定時間カウンタはＣＰＵ１０に接続した計時装置１５からの信号に基づいてカウントアップされる。そして、表示端末１への電力の供給が断たれ、スタンバイ状態へ移行する（Ｓ５４）。次に、予定時間カウンタのタイマカウンタが予定時間を経過したか否かの判断が行われる（Ｓ５５）。電力の供給が断たれた直後は、予定時間は経過していないため（Ｓ５５：Ｎｏ）、Ｓ５５に戻る。そして、予定時間が経過するまでこの処理を繰り返す。予定時間カウンタのタイマカウンタが、予定時間以上となると（Ｓ５５：Ｙｅｓ）、表示端末１への電力の供給が行われる（Ｓ５６）。そして、電気泳動表示部４に充電メッセージが表示され（Ｓ５７）、表示端末１への電力の供給が断たれる（Ｓ５８）。これにより、表示端末１はスタンバイ状態となる。なお、この充電を促す旨のメッセージは、一度のみ表示されるメッセージであり、表示端末１への電力の供給が断たれる（Ｓ５８）際は、予定時間カウンタによるカウントアップは、始まらない。また、図１３に示すように、表示端末１に表示される充電メッセージは、電気泳動表示部４の略中央部に表示される。
【００５８】
なお、上記変形例３の予定時間が「表示待機時間」に該当し、現在の電池残量を取得し（Ｓ５１）、取得された電池残量に基づいて充電を促す旨のメッセージを表示するまでの予定時間を決定する（Ｓ５２）処理が「表示待機時間決定手段」に該当し、電気泳動表示部４に充電メッセージを表示する（Ｓ５７）処理がＣＰＵ１０の「表示制御手段」に該当する。
【００５９】
以上のように、表示端末１への電力の供給が断たれる際、表示端末１の電池残量が取得され、取得された電池残量に基づいて充電メッセージを表示するまでの時間である予定時間が取得される。そして、充電メッセージを表示するまでの予定時間を計測するためのカウンタである予定時間カウンタのアップカウントが開始され、表示端末１への電力の供給が断たれる。これにより、表示端末１はスタンバイ状態となる。予定時間カウンタのカウント値が予定時間以上となると、表示端末１への電力の供給が再開され、充電メッセージが、電気泳動表示部４に表示される。充電メッセージが電気泳動表示部４に表示されると、表示端末１への電力の供給が断たれ、スタンバイ状態になる。その結果、ユーザは充電メッセージを確認することで、充電する日時を考慮する必要なく充電の必要性があると判断できる。これにより、ユーザは表示端末１を充電してから使用することができるので、表示端末１を使用する際、電力が少なかったりして、使用できなかったり、使用したら電力不足となってしまうという問題を防止することができる。
【００６０】
また、表示端末１の電気泳動表示部４に表示される上記メッセージの表示位置は、文字や画像、映像、又はこれらを組み合わせた情報であるコンテンツ情報及びメニュー等が表示される領域以外の電気泳動表示部４の端部に表示されていればなお良い。
【００６１】
また、上記実施の形態及び変形例１〜３では、不揮発性表示手段として電気泳動表示部４を用いているが、電気泳動方式に限らず、電力が供給されなくても表示内容が維持される不揮発性の表示部であればよく、例えば、磁気泳動方式やコレステリック液晶方式のような他の方式の表示部であっても良い。また、電気泳動表示部４を、マイクロカプセルを用いた構成として良い。
【産業上の利用可能性】
【００６２】
本発明の表示端末及び表示端末プログラムは、電気泳動方式の表示部を備えた表示装置に適用可能である。
【図面の簡単な説明】
【００６３】
【図１】表示端末１の外観図である。
【図２】表示端末１の電気的構成を示すブロック図である。
【図３】電気泳動表示部４の正面図である。
【図４】電気泳動表示部４のＩ−Ｉ線（図３）における矢視方向断面図である。
【図５】電気泳動表示部４のＩＩ−ＩＩ線（図３）における矢視方向断面図である。
【図６】メイン動作の中でのイベント待機処理のフローチャートである。
【図７】メイン動作の中での電力の供給が断たれた際のフローチャートである。
【図８】最終のイベントが発生した日時が表示された表示端末１の外観図である。
【図９】充電日時テーブル１１０１の模式図である。
【図１０】メイン動作の中での電力の供給が断たれた際の変形例１のフローチャートである。
【図１１】スタンバイ状態時の変形例２のフローチャートである。
【図１２】メイン動作の中での電力の供給が断たれた際の変形例３のフローチャートである。
【図１３】充電メッセージが表示された表示端末１の外観図である。
【符号の説明】
【００６４】
１    表示端末
４    電気泳動表示部
１０    ＣＰＵ
１１    ＲＯＭ
１３    ＥＥＰＲＯＭ
１４    入力部
１５    計時装置
１００１  最終イベント日時記憶エリア
１１０１  充電日時テーブル
【図１】
2009230204.tif 000003
【図２】
2009230204.tif 000004
【図３】
2009230204.tif 000005
【図４】
2009230204.tif 000006
【図５】
2009230204.tif 000007
【図６】
2009230204.tif 000008
【図７】
2009230204.tif 000009
【図８】
2009230204.tif 000010
【図９】
2009230204.tif 000011
【図１０】
2009230204.tif 000012
【図１１】
2009230204.tif 000013
【図１２】
2009230204.tif 000014
【図１３】
2009230204.tif 000015